(57)【要約】      （修正有）【課題】電気配線コードや通信ケーブル等に足をひっかけてしまうことを防止する配線器具を提供する。【解決手段】長手方向に延びる形状を有する収容部材１と収容部材１を床面又は地面の所定距離で横向きに支持する支持部材２と、収容部材１及び支持部材２に収容された電気配線コード又は通信ケーブルと、電気配線コード又は通信ケーブルの両端部に設けられる接続器４とを備える。接続器４は、外部から他の電気配線コード又は通信ケーブルを接続可能なように収容部材１及び支持部材２の少なくともいずれか１つに配設される。【選択図】図１Ａ
2018061385.tif 000002
【特許請求の範囲】
【請求項１】
電気配線コード又は通信ケーブルを中継するための配線中継器具であって、
長手方向に延びる形状を有する収容部材と、
前記収容部材を、床面又は地面の所定距離で横向きに支持する少なくとも１つの支持部材と、
前記収容部材及び支持部材に収容された１以上の電気配線コード又は通信ケーブルと、前記１以上の電気配線コード又は通信ケーブルの両端部に設けられる接続器と、を備え、
前記接続器は、外部から他の電気配線コード又は通信ケーブルを接続可能なように、前記収容部材及び前記支持部材の少なくともいずれか１つに配設される、配線中継器具。
【請求項２】
前記収容部材または支持部材は、部分環状の断面を有し、長手方向に延びる開口を有する本体部と、前記本体部の長手方向に延びる開口を覆う蓋部と、を有する、請求項１に記載の配線中継器具。
【請求項３】
前記収容部材および支持部材の少なくとも一方が伸縮自在である請求項１又は２に記載の配線中継器具。
【請求項４】
前記収容部材および前記支持部材の少なくとも一方が１以上の警告灯を備える請求項１乃至３のいずれか１項に記載の配線中継器具。
【請求項５】
一対の前記支持部材を備え、
一対の前記支持部材は、上端部が前記収容部材の両端部をそれぞれ支持し、且つ下端部が前記配線中継器具の設置面に載置される一対の脚部材である、請求項１乃至４のいずれか１項に記載の配線中継器具。
【請求項６】
線状体を床面又は地面の所定距離で横向きに架け渡すための線状体架け渡し器具であって、
長手方向に延びる形状を有し、前記線状体を挿通可能な収容部を有する収容部材と、
前記収容部材を床面又は地面の所定距離で横向きに支持する少なくとも１つの支持部材と、を備える、線状体架け渡し器具。
【発明の詳細な説明】
【技術分野】
【０００１】
本発明は、電気配線コードや通信ケーブルなどを中継するための配線中継器具、および、配線やホースなどの線状体を床面や地面の所定距離に架け渡すための線状体架け渡し器具に関する。
【背景技術】
【０００２】
電気配線コードや通信ケーブルといった配線を整理するようなものとして、パネルを利用してスペースの有効利用を図ったものが知られている（例えば、特許文献１）。また、間仕切パネルを利用した電源用コード類のような強電用コード類のために通信線や信号線のような弱電用コード類が悪影響を受けることを防止するものが知られている(例えば、特許文献２)。
【先行技術文献】
【特許文献】
【０００３】
【特許文献１】特開平１１−２２９５３７号公報
【特許文献２】特開平１０−１５９２１９号公報
【発明の概要】
【発明が解決しようとする課題】
【０００４】
電気配線コードや通信ケーブル等が床に露出して引き渡されていると、これに足をひっかけてしまう危険性がある。特に電気調理器具等で料理をしているときにコードをひっかけてしまうと思わぬ事故につながることがある。また、インターネット用の通信ケーブルをひっかけると、パソコンやプリンターが落下するおそれがあり、機器を損傷するだけでなく大きな事故につながる危険性もある。
【０００５】
会社や事務所等では、配線をカバー等で覆って床に設置されていることもあるが、高齢者はほんの少しの段差がかえって危険となる場合がある。
【０００６】
屋外では、店舗の電飾看板が、電力供給用の延長コードなどを用いて、歩道を跨いだ離れた位置に据え置かれることがよくある。しかし、この場合、延長コードは、歩行者の通行の障害になるばかりでなく、歩行者が足をひっかけてしまうおそれがある。また、コードが踏まれて損傷を受けるため好ましくない。その他に夜桜見物のための照明用の延長ケーブルや夜店の電源用延長ケーブルなどが歩道にあると同じく足をひっかける危険性がある。
【０００７】
本発明は、電気配線コードや通信ケーブルを含む配線や線状体を、床面や地面の所定距離で中継することにより、あるいは器具の中を通すことによって、上に述べた問題点を解消することを目的とする。
【課題を解決するための手段】
【０００８】
請求項１に係る発明は、電気配線コード又は通信ケーブルを中継するための配線中継器具であって、長手方向に延びる形状を有する収容部材と、前記収容部材を床面又は地面の所定距離で横向きに支持する少なくとも１つの支持部材と、前記収容部材及び支持部材に収容された１以上の電気配線コード又は通信ケーブルと、前記１以上の電気配線コード又は通信ケーブルの両端部に設けられる接続器と、を備え、前記接続器は、外部から他の電気配線コード又は通信ケーブルを接続可能なように、前記収容部材及び前記支持部材の少なくともいずれか１つに配設される配線中継器具である。
【０００９】
請求項２に係る発明は、前記収容部材が、部分環状の断面を有し、長手方向に延びる開口を有する本体部と、前記本体部の長手方向に延びる開口を覆う蓋部と、を有する、請求項１に記載の配線中継器具である。ここで「部分環」とは「環」の一部を意味する。従って、「部分環状」は、任意の閉じた形状の一部が欠落した形状を意味する。
【００１０】
請求項３に係る発明は、前記収容部材および前記支持部材の少なくとも一方が伸縮自在である請求項１又は２に記載の配線中継器具である。
【００１１】
請求項４に係る発明は、前記収容部材および前記支持部材の少なくとも一方が１以上の警告灯を備える請求項１乃至３のいずれか１項に記載の配線中継器具
【００１２】
請求項５に係る発明は、一対の前記支持部材を備え、一対の前記支持部材は、上端部が前記収容部材の両端部をそれぞれ支持し、且つ下端部が前記配線中継器具の設置面に載置される一対の脚部材である、請求項１乃至４のいずれか１項に記載の配線中継器具。
【００１３】
請求項６に係る発明は、線状体を床面又は地面の所定距離で横向きに架け渡すための線状体架け渡し器具であって、長手方向に延びる形状を有し、前記線状体を挿通可能な収容部を有する収容部材と、前記収容部材を床面又は地面の所定距離で横向きに支持する少なくとも１つの支持部材と、を備える、線状体架け渡し器具である。
【発明の効果】
【００１４】
請求項１に係る配線中継器具は、長手方向に延びる形状を有する収容部材および前記収容部材を床面又は地面の所定距離で横向きに支持する少なくとも１つの支持部材に、１以上の電気配線コード又は通信ケーブルが収容され、その両端部に設けた接続器を、外部から他の電気配線コード又は通信ケーブルを接続可能なように、前記収容部材及び前記支持部材の少なくともいずれか１つに配設したので、床面や地面から所定距離の位置で配線を中継する延長コードまたは延長ケーブルとして機能する。したがって、配線に足をひっかける危険性を解消して、電力や信号などを中継することが出来る。収容部材及び支持部材に収容した電気配線コード又は通信ケーブルの両端部に設けた接続器が、外部から他の電気配線コード又は通信ケーブルを接続可能なように、収容部材及び支持部材の少なくともいずれか１つに配設されるので使用者は、接続器に、これに対応する電気配線コード又は配線用通信ケーブルを外部から接続するだけで、電気配線コード又は配線用通信ケーブルを通電可能又は通信可能とすることができる。
【００１５】
請求項２に係る配線中継器具は、前記収容部材が、部分環状の断面を有し、長手方向に延びる開口を有する本体部と、前記本体部の長手方向に延びる開口を覆う蓋部と、を有するので、使用者が、収容部の開口から蓋部を取り除いた状態で配線を収容部に載置し、その後、蓋部で前記開口を覆うことによって、配線を収容部材に簡単に収容することができ、配線の交換や配線の追加、収容部材の掃除等が容易となる効果を奏する。
【００１６】
請求項３に係る配線中継器具は、前記収容部材および前記支持部材の少なくとも一方が伸縮自在であるので、使用者が、収容部材及び支持部材の少なくとも一方を伸縮することにより、配線中継器具の高さ及び長さの一方または双方を調整することができる。その結果、設置場所の状況に応じて、好適に配線中継器具を設置できる効果を奏する。
【００１７】
請求項４に係る配線中継器具は、前記収容部材および前記支持部材の少なくとも一方が１以上の警告灯を備えるので、夜間や暗い場所に配置されている場合に、警告灯を点灯することによって、歩行者が配線中継器具に接触することを防ぐ効果を奏する。
【００１８】
請求項５に係る配線中継器具は、一対の支持部材が、上端部で前記収容部材の両端部をそれぞれ支持し、且つ下端部が前記配線中継器具の設置面に載置される一対の脚部材であるので、設置状態が安定する効果を有する。
【００１９】
請求項６に係る線状体架け渡し器具は、長手方向に延びる形状を有し、前記線状体を挿通可能な収容部を有する収容部材と、前記収容部材を床面又は地面の所定距離で横向きに支持する少なくとも１つの支持部材とを備えるので、線状体を収容部材に収容することにより、線状体を床面又は地面から所定距離だけ離隔した位置で支持することができる。その結果、使用者が線状体に足を引っ掛ける等の危険性が除去される。
【図面の簡単な説明】
【００２０】
【図１Ａ】本発明の実施形態１に係る配線中継器具を示す斜視図である。
【図１Ｂ】本発明の実施形態２に係る配線中継器具を示す斜視図である。
【図２】本発明の実施形態３に係る配線中継器具の収容部材の構造を示す斜視図である。
【図３】収容部材の伸縮機構を示す斜視図である。
【図４Ａ】本発明の実施形態４に係る配線中継器具を示す側面断面図である。
【図４Ｂ】本発明の実施形態５に係る配線中継器具を示す側面断面図である。
【図５】本発明実施形態６に係る線状体架け渡し器具を示す斜視図である。
【発明を実施するための形態】
【００２１】
［実施形態１］
図１Ａは、本発明の実施形態１に係る配線中継器具１００Ａを示す斜視図である。配線中継器具１００Ａは、電気配線コード又は通信ケーブルなどの配線３を中継するためのものである。図１Ａを参照すると、本例の配線中継器具１００Ａは、長手方向に延びる形状を有する収容部材１と、収容部材１を床面又は地面などの設置面１０１の所定距離で横向きに支持する少なくとも１つの支持部材２と、収容部材１及び支持部材２に収容された配線３と、配線の両端部に設けられる接続器４と、を備える。接続器４は、外部から他の電気配線コード又は通信ケーブルを接続可能なように、支持部材２に配設される。
【００２２】
本例の収容部材１は、配線３を収容するための収容空間を内部に有する円筒状の部材である。収容部材１の形態は、円筒状のほか、角筒状でもよく、限定されない。材質は、特に限定されないが、金属やプラスチックなどの、剛性と耐久性とを有し、比較的安価な材質が好ましい。さらに、電気絶縁性を備えることが、より好ましい。また、収容部材１を衣服のハンガーとして使用する場合は、適切な強度を備えることが必要である。
【００２３】
支持部材２は一対の円筒状部材からなり、各支持部材２は、上端部が収容部材１の両端部をそれぞれ支持し、且つ下端部が設置面１０１上に載置される脚部材である。支持部材１の形態もまた、円筒状のほか、角筒状でもよく、限定されない。材質は、収容部材１と同様、特に限定されないが、金属やプラスチックなどの、剛性と耐久性とを有し、比較的安価な材質が好ましく、さらに電気絶縁性を備えることが、より好ましい。
【００２４】
支持部材２の下端部には、設置時の安定性を確保するための台部５、および、配線中継器具１００Ａの移動を容易にするためのキャスター６を設けることが好ましい。キャスター６により移動自在とすれば、配線中継器具１００Ａを、不使用時には部屋の隅などに収納しておき、必要時に所定箇所まで移動させるのが簡単になる。
【００２５】
支持部材２は、二股にすることもでき、その形態や、台部５の形状は、安定性を向上させるため、さまざまに変更することが可能である。
【００２６】
配線３は、商用電源を供給するための電気配線コードや、電気的信号を送受信するための通信ケーブルであり、これには、ＵＳＢケーブル・ＬＡＮケーブル・電話通信用のモジュラーケーブル・スピーカケーブル・ビデオ信号用ケーブル・ＨＤＭＩ（登録商標）ケーブル・アンテナケーブルなどの各種電気的信号を送受信するための通信ケーブルが例示される。収容部材１内には、これら配線のうちの１種または２種以上、また１本または２本以上を適宜収納させることができる。
【００２７】
接続器４は、前述したような各種配線を、外部から配線中継器具１００Ａに接続するための部分であり、内部の配線３の各両端部に電気的に接続するように設けられる。本例では、２つの接続器４が、一対の支持部材２それぞれの各下端部に配置され、一方が、中継する外部配線の入力側、他方が出力側に相当する。なお、例えばＬＡＮなど、配線の種類によっては、入力側および出力側の接続口部が同じ場合もある。接続器４は、接続する配線の種類に応じた構造の１つ又は複数の接続口部を有する。図１Ａには、接続器４が、接続口部として、ＬＡＮポート４ａとＵＳＢポート４ｂとを備えている状態を例示した。この場合、内部に収容される配線３は、ＬＡＮケーブルとＵＳＢケーブルとの２種類である。
【００２８】
なお接続器４が有する接続口部の個数や種類を増やすことにより、接続可能な配線の種類および本数も増大させることができる。たとえば、２個以上のＬＡＮポートまたはＵＳＢポートを有するものとすることが考えられる。このように、接続器４に設ける接続口部の個数や種類は、実施の状況に応じ適宜変更可能である。
【００２９】
さらに接続器４は、その配置についても適宜変更可能である。たとえば、接続器４を、支持部材２の高さ方向中間位置に配置したり、収容部材１に配置したり、収容部材１と支持部材２との両方に配置することも可能である。なお、１箇所に配置される接続器４を、中継すべき配線３の入力側の接続口部と、出力側の接続口部との両方を備えるように構成することも可能である。
【００３０】
収容部材１および支持部材２の一方または両方は、伸縮自在に構成してもよい。収容部材１を伸縮自在とすることによって、配線中継器具１００Ａの長さ寸法（幅寸法）を調節することが可能となる。支持部材２を伸縮自在とすることにより、配線中継器具１００Ａの高さ寸法の調節が可能となる。収容部材１および支持部材２の一方または両方が寸法変更可能であることによって、設置領域の周囲の状況に合わせて、配線中継器具１００Ａの大きさを合わせることが可能となる。
【００３１】
［使用方法］
使用者が、中継させたい外部の配線の接続端子を、図１Ａに示す配線中継器具１００Ａの一方の接続器４の接続口部に接続する。接続方法は、例えばＬＡＮケーブルやＵＳＢケーブルの場合は、接続端子を接続口部４ａ，４ｂに挿入するだけでよい。そして、もう一方の外部配線を、他方の接続器４の接続口部に接続する。これにより、２つの外部配線が、配線中継器具１００Ａを介し、電気的に接続される。本例の配線中継器具１００Ａは、外部の配線を、設置面１０１の表面上を引き渡すことなく中継することができるから、使用者が配線に足を引っ掛ける等の危険性を解消できる。
【００３２】
［実施形態２］
図１Ｂは、本発明の実施形態２に係る配線中継器具１００Ｂを示す斜視図である。本例の配線中継器具１００Ｂが、実施形態１と相違する点は、内部に収容される配線７が商用電源を供給するための電気配線コードであり、接続器の一方が、外部のコンセントなどに接続されるプラグ８であり、もう一方が、外部の電気配線コードのプラグが接続されるコンセント９である点である。
【００３３】
本例では、プラグ８側に電気配線コード７を巻き取った状態で収納する自動巻取器Ｒを設け、必要に応じて電気配線コード７を所要長さだけ引き出し、不使用時には収納することができるように構成されている。
【００３４】
コンセント９は、収容された電気配線コード７の末端だけでなく、例えば例示するような収容部材１など、途中部分に設けてもよい。この場合、コンセント９の個数や位置は、適宜変更することが可能である。
【００３５】
さらに、前記実施形態１で説明した通信ケーブル用の接続口部を有する接続器４を併設することも可能である。この場合、接続器にプラグ８やコンセント９を設けてもよく、別個に設けてもよい。
【００３６】
本例では、収容部材１に、例えばＬＥＤなどから成る適当個数の警告灯１０を配設した。これは、この配線中継器具１００Ｂを屋外における夜間に暗くなる環境で使用する場合に、誤って人が衝突するのを防止するためである。
【００３７】
その他の点については、実施形態１と共通するので、ここでの説明は省略する。
【００３８】
［実施形態３］
図２は、本発明の配線中継器具の実施形態３に係る収容部材１を示す斜視図である。本例は、収容部材１に関する変形例を示すものである。
図２を参照すると、実施形態３では、収容部材１は、部分環状の断面を有し、内部に形成された収容部３１及び収容部３１の長手方向に延びる開口３２とを有する本体部１Ａと、収容部３１の長手方向に延びる開口３２を覆う蓋部１Ｂと、を有する。ここで「部分環」とは「環」の一部を意味する。「環」は閉じた形状（閉曲線）を意味する。従って、「部分環状」は、任意の閉じた形状の一部が欠落した形状を備えていることを意味する。
【００３９】
本例の収容部材１は、本体部１Ａが凹状の断面を有する柱状に形成され、本体部１Ａの開口３２側の端部の外面には、長手方向の全長に渡って延びる溝３３が形成されている。一方、蓋部１Ｂは、矩形の板状体であって、幅方向（短手方向）の両端部に突設され、ほぼＬ字状の断面を有する、長手方向の全長に渡って延びる爪部３４が形成されている。本例では、蓋部１Ｂの爪部３４を、本体部１Ａの溝３３に係合させて、蓋部１Ｂを本体部１Ａに対し長手方向にスライドさせることにより、本体部１Ａの開口３２を、蓋部１Ｂによって閉塞することができる。
【００４０】
本実施形態３によれば、使用者が、本体部１Ａの長手方向に延びる開口３２から蓋部１Ｂを取り除いた状態で、配線を本体部１Ａ内に収容した後、蓋部１Ｂで開口３２を閉止することによって、配線を収容部材１に簡単に収容することができ、配線の交換や追加、収容部材１内の清掃等が容易となる。また、この構造は、支持部材２にも適用可能である。
【００４１】
なお、収容部材１の開口３２を開閉可能に閉止する手段としては、上記のほか、無理嵌めを用いる嵌合構造や、蝶番を用いた開閉構造なども可能であり、特に限定されない。
【００４２】
［伸縮機構］
図３は、本発明に係る配線中継器具の収容部材１を伸縮可能にするための伸縮機構の一例を示す斜視図である。この伸縮機構の構成は、収容部材１が、第１部分１ａ及び第２部分１ｂを含み、第１部分１ａの内径を、第２部分１ｂの外径よりも少し大径に形成したものである。第１部分１ａの内部に、第２部分１ｂの一部が嵌挿され、第１部分１ａに対し、第２部分１ｂが、軸方向に摺動自在に構成されている。第１部分１ａに対して第２部分１ｂを摺動させて、長さを変えることにより、収容部材１を伸縮させることができる。また、第１部分１ａに対し第２部分１ｂを固定するための手段が設けられる。例えば第１部分１ａにネジ穴を設け、このネジ穴に軸部に雄ネジを有する留め具２１を螺入する。留め具２１を締め付けることにより、収容部材１の長さを固定することができ、留め具２１を緩めると、収容部材１の伸縮を可能にすることができる。なお、上に述べた伸縮機構の構造は、支持部材２の伸縮機構にも適用することが可能である。
【００４３】
上に述べた伸縮機構のほかに、収容部材１の長さを調節可能にする手段としては、収容部材１の中間部を分割可能かつ交換可能にし、長さの異なる中間部を複数用意することが考えられる。中間部を長さの異なるものと交換することで、収容部材１の軸方向長さを変更することができる。
あるいは、収容部材１を、変形可能であって、かつ変形後の形状を保持する性質を有する材質（例えばフレキシブルチューブ、フレキシブルホース）を用いて製作することも考えられる。このような材質を用いることにより、中間部分を湾曲させる又は伸展させることによって、収容部材１の横方向長さを変更することが可能になる。
【００４４】
［実施形態４］
図４Ａは、本発明の実施形態４に係る配線中継器具２００Ａを示す側面断面図である。本例の配線中継器具２００Ａは、例えば店舗の店頭に、歩道１０２を挟んで電飾看板４０などを設置する場合に、この電飾看板４０に電力を供給する電気配線コード３を中継するためのものである。
【００４５】
本例では、支持部材２が、一般的な歩行者の身長より高い位置で壁面Ｗに固定され、この支持部材２によって、収容部材１が突出するように支持される。収容部材１は、内部に電気配線コード３が収容され、先端部には、電飾看板４０から延びる電源コード４１のプラグ４２を接続するためのコンセント９などの接続器が配設される。電気配線コード３は、収容部材１の基部または支持部材２から外部に引き出され、店舗付近に設けられている商用電源のコンセント５０などに接続される。
【００４６】
本例の配線中継器具２００Ａによれば、電飾看板４０などに電力を供給するための電源コード４１が歩道１０２の表面を跨がないので、歩行者の歩行に支障を与えることがない。また電源コード４１が歩行者に踏まれないので、損傷を受けないという利点も得られる。
【００４７】
なお収容部材１は、壁面Ｗに対し、上方へ旋回可能または水平方向に旋回可能な構成とすることもできる。
【００４８】
［実施形態５］
図４Ｂは、本発明の実施形態５に係る配線中継器具２００Ｂを示す側面断面図である。本例の配線中継器具２００Ｂも、例えば店舗の店頭に、歩道１０２を挟んで電飾看板４０などを設置する場合に、この電飾看板４０に電力を供給する電気配線コード３を中継するためのものである。
【００４９】
本例では、建物などの壁面Ｗにおける歩道１０２近くに台部１５が固定され、この台部１５に、支持部材２を着脱可能に挿入して装着する構成としたものである。収容部材１は支持部材２の上端部に突出するように設けられる。収容部材１は、内部に電気配線コード３が収容され、先端部には、電飾看板４０の電源コード４１を接続するためのコンセント９などの接続器が配設される。電気配線コード３は、収容部材１の基部または支持部材２から外部に引き出され、店舗付近に設けられている商用電源のコンセント（図示略）などに接続される。
【００５０】
なお本例において、支持部材２が、台部１５に対し、軸周りに旋回可能に構成することも可能である。
【００５１】
本例の配線中継器具２００Ｂは、不使用時には、支持部材２を台部１５から抜き取って取り外せるという利点を有する。
【００５２】
［実施形態６］
図５は、本発明の実施形態６に係る線条体架け渡し器具３００を示す斜視図である。  図５を参照すると、本例の線状体架け渡し器具３００は、長手方向に延びる形状を有し、線状体１３を挿通可能な収容部を有する収容部材１１と、収容部材１１を床面又は地面の所定距離で横向きに支持する少なくとも１つの支持部材１２と、を備える。
【００５３】
収容部材１１は、中空円筒状の部材であり、両端部それぞれに線状体１３を挿通させるための開口を有し、内部空間が線状体１３の収容部を形成する。収容部材１１および支持部材１２の少なくとも一方は、伸縮自在に構成されてもよい。そのための伸縮機構の具体的構成は。前述したものを利用できる。収容部材の形状は、円筒状、角筒状など特に限定されない。さらに例えば樋のような、上部を開放させた形態も可能である。
【００５４】
支持部材１２は一対の脚部材であり、各支持部材１２はそれぞれ、上端部が収容部材１１の両端部を支持し、且つ下端部が線状体架け渡し器具３００の設置面１０１に載置される。内部に挿通される線状体１３は、線状の物体であればよく、具体的には、電気用配線コード、通信ケーブル、ワイヤ、ホース、チューブ、紐、ロープ等が例示される。
【００５５】
本例の線条体架け渡し器具３００は、線状体１３を収容部材１１に挿通させることにより、線状体１３を設置面の所定距離に保持できるので、使用者が線状体１３に足に引っ掛ける等の危険性が解消される。線状体架け渡し器具１００は、支持部材１２を一対備えているので安定性に優れる。収容部材１１および支持部材１２の少なくとも一方を伸縮することにより、線状体１３の架け渡し高さや挿通長さを調整できるので、線状体１３を架け渡す場所の状況に応じた、最適な寸法の線状体架け渡し器具を提供できる。
【００５６】
［その他の実施形態］
本発明に係る配線中継器具または線条体架け渡し器具は、複数個を直交方向、横並び方向、さらには上下方向など、任意または所定の方向に連接することを可能にする連結部材を、収容部材または支持部材に備えることができる。収容部材にカーテンやパネルなどの目隠し用部材を取り付け、複数個を連結することにより、本発明に係る配線中継器具または線条体架け渡し器具を、簡易の間仕切りとして利用することも可能である。このように構成すれば、臨時の避難所など、多数の人間が長時間接近した状態が維持されるような場所に利用することにより、プラバシーを確保する間仕切り機能と、電力供給や通信回線を提供する機能とが同時に発揮される利点が得られる。
【産業上の利用可能性】
【００５７】
本発明は、線状体架け渡し器具であるのでコード類が床に多くあり、足をひっかけそうな場合やケーブルなどの配線が床などに散乱している場合に足などにひっかける危険性を解消し、配線などを整理して見た目をよくできるなど広く利用可能である。
【符号の説明】
【００５８】
１  収容部材      
２  支持体
３  配線
４  接続器
５  台部  
６  キャスター
７  電気配線コード
８  プラグ
９  コンセント
１０  警告灯
２１  留め具
３１  収容部
３２  開口
３３  溝
３４  爪部
１Ａ  本体部
１Ｂ  蓋部
１ａ  第１部分
１ｂ  第２部分
１００Ａ、１００Ｂ、２００Ａ、２００Ｂ  配線中継器具  
３００  線状体架け渡し器具
１０１  設置面
１０２  歩道
【図１Ａ】
2018061385.tif 000003
【図１Ｂ】
2018061385.tif 000004
【図２】
2018061385.tif 000005
【図３】
2018061385.tif 000006
【図４Ａ】
2018061385.tif 000007
【図４Ｂ】
2018061385.tif 000008
【図５】
2018061385.tif 000009